【事件の表示】
　特願２０１５−５４２３０５「容器、方法および制御システム」拒絶査定不服審判事件〔平成２６年５月２２日国際公開、ＷＯ２０１４／０７６３１９、平成２８年１月１８日国内公表、特表２０１６−５０１３３２〕について、次のとおり審決する。
【結　論】
　本件審判の請求は、成り立たない。
【理　由】
　本願は、２０１３年（平成２５年）１１月１９日（パリ条約による優先権主張外国庁受理２０１２年１１月１９日（ＥＰ）欧州特許庁、２０１３年２月２８日（ＥＰ）欧州特許庁）を国際出願日とする出願であって、平成２９年８月２３日付け（発送日：平成２９年８月３０日）で拒絶理由が通知され、平成３０年１月３０日に意見書及び誤訳訂正書が提出され、平成３０年５月２４日付け（発送日：平成３０年５月３０日）で最後の拒絶理由が通知され、平成３０年１１月３０日に意見書が提出されたが平成３１年２月２０日付け（発送日：平成３１年２月２２日）で拒絶査定がされ、これに対して令和元年６月２４日に拒絶査定不服審判が請求され、その審判の請求と同時に手続補正書が提出され、令和２年２月２５日付け（発送日：令和２年２月２６日）で当審より拒絶理由（以下「当審拒絶理由」という。）が通知され、令和２年５月２６日に意見書及び手続補正書が提出されたものである。
第２　本願発明
　本願の請求項１ないし２０に係る発明は、令和２年５月２６日の手続補正により補正がされた特許請求の範囲の請求項１ないし２０に記載されたとおりのものであるところ、請求項１に係る発明（以下「本願発明」という。）は次のとおりである。
「【請求項１】
　流体を保持するための貯留槽と、
　前記貯留槽とエンジンの流体循環システムとの間の流体連通を提供するのに適した流体連結部と、
　前記した貯留槽とエンジンの流体循環システムとの間の流体連通を可能にするために置換可能な流体容器が一度設置されると、エンジンのエンジン制御装置とのデータ通信をするデータ提供部を有するように設計されたデータ提供部であって、データを蓄積するためのメモリを有すると共に、また、前記エンジン制御装置からデータを受信するのに適し、かつ、そのメモリに蓄積している受信データとその受信データに応じて前記エンジン制御装置に提供しているデータとから選択された処置を実行するのに適したデータ提供部とを備えるエンジンの為の置き換え可能な流体容器。」
第３　当審拒絶理由の概要
　当審拒絶理由のうち、特許法第２９条第２項（進歩性）及び特許法第３６条第６項第２号（明確性）に係る拒絶理由の概要は、次のとおりである。
１．（進歩性）本願の請求項１ないし２０に係る発明は、その優先日前に日本国内又は外国において、頒布された下記の刊行物に記載された発明又は電気通信回線を通じて公衆に利用可能となった発明に基いて、その優先日前にその発明の属する技術の分野における通常の知識を有する者が容易に発明をすることができたものであるから、特許法第２９条第２項の規定により特許を受けることができない。
２．（明確性）本願は、特許請求の範囲の記載が下記の点で、特許法第３６条第６項第２号に規定する要件を満たしていない。
　　　　　記　　　（引用文献等については引用文献等一覧参照）
●理由１（進歩性）について
　請求項１ないし２０に対して：引用文献１ないし３
　　　　　　　　＜引用文献等一覧＞
１．米国特許出願公開第２００８／０１７９１３９号明細書
２．特開平１１−２８６１２１号公報
３．特開２００５−１７８８９９号公報（周知技術を示す文献）
●理由２（明確性）について
　請求項１ないし２０に係る発明は明確でない。
　特に、請求項１の「前記エンジン制御装置からデータを受信するのに適し、かつ、そのメモリに蓄積している受信データとその受信データに応じて前記エンジン制御装置に提供しているデータとから成るリストから選択された処置を実行するのに適したデータ提供部」との記載は意味が明確でない。
第４　特許法第２９条第２項（進歩性）についての判断
１　引用文献、引用発明
（１）引用文献１
　当審拒絶理由において引用され、本願の優先日前に日本国内又は外国において、頒布された又は電気通信回線を通じて公衆に利用可能となった米国特許出願公開第２００８／０１７９１３９号明細書（以下「引用文献１」という。）には、「OIL CHANGE APPARATUS」（訳：オイル交換装置）に関し図面とともに次の事項が記載されている。なお、下線は当審において付与した。以下同様。
ア　「[0007] 
The instant invention is directed to an oil change system operable on a continuous or batch basis for changing engine oil for an engine in operation
The system also comprises a non-volatile memory which down loads engine data from the engine controller and data related to the date/time of the oil change, oil consumption and other oil related parameters as described.
The chamber and non-volatile memory are incorporated into a removable unit that may be connected hydraulically to the engine oil lubrication system and electrically to the engine controller.
Accumulated data in the non-volatile memory may be transmitted to a remote file server when the removable unit is serviced by recharge with new oil and used oil is collected for disposal. Engine data such as load factors, rpm histograms, and malfunction episodes may be transferred from the engine controller to a remote server by download the non-volatile memory device.
（当審訳）
「
本発明は、動作中のエンジンのエンジンオイルを交換するための連続的またはバッチ式で動作可能なオイル交換システムに向けられている
システムはまた、オイル交換、オイル消費および他のオイル関連パラメータの日／時間に関連するエンジン制御データ、エンジンデータをダウンロードする不揮発性メモリを含む
チャンバおよび前記不揮発性メモリは、エンジンオイル潤滑システムと液圧式に接続され、エンジン制御装置に電気的に接続される取り外し可能なユニットに組み込まれる。
不揮発性メモリに蓄積されたデータは、取外し自在なユニットに新しいオイルが再充填され、かつ使用済みオイルが、処分のために収集されたときに、遠隔のファイルサーバに送信することができる。負荷、回転数ヒストグラム及び異常事象のようなエンジンデータは、不揮発性メモリデバイスにダウンロードすることによって、エンジンコントローラからリモートサーバに転送することができる。
イ　「[0010]Internal combustion engines of the 4-cycle variety utilize a crankcase, a sump, and a pressurized 
system to circulate lubricating oil within the engine
Engine life is extended by periodic exchange of used oil for new oil.」
（当審訳）
「4サイクルの内燃機関は、クランクケース、サンプと、
エンジン内の潤滑オイルを循環させる
ウ　「[0019] In one embodiment of a concatenated chamber, when the preprogrammed condition is met, the engine controller (not shown) initiates a batch oil change by checking that the oil level in the crankcase 15 meets a prescribed level. If crankcase oil level is at the prescribed level, the controller signals to valve 12 to divert a measured portion of the oil pressurized by the crankcase oil pump 14 through conduit 16 to used 
oil chamber 18 of housing 20
（当審訳）
「連結室の一実施形態では、予めプログラムされた条件が満たされると、エンジン制御装置（図示せず）には、クランクケース15内のオイルレベルが所定のレベルを満たしていることをチェックすることによって、バッチオイル交換を開始する。クランクケースオイルレベルが所定のレベルにある場合に、弁12への制御信号は、導管16を通してクランクケースオイルポンプ14により加圧されたオイルの一部を
ハウジング20の油室18
エ　「[0020] The controller actively maintains a predetermined level of lubricating oil in the crankcase. Sensors for determining the oil level of an engine in operation have been described as for example in U.S. Pat. No. 4,495,909, incorporated herein by reference. The oil level may fall below a predetermined level for reasons such as leakage, or oil consumption by the engine. When the crankcase oil sensor 36 identifies that the oil level is below the prescribed level, then the controller signals a positive displacement pump 38 to transfer new oil from new oil from 
chamber 22
（当審訳）
「コントローラは、クランクケース内の潤滑オイルの所定のレベルを維持する。動作中のエンジンのオイルレベルを測定するためのセンサは、例えば、米国特許第4,495,909号明細書に記載されている。オイルレベルは、漏れやオイル消費量のような理由から、所定の値を下回ることがある。クランクケースオイルセンサー36は、オイルレベルが所定のレベルを下回っていることを識別すると、制御装置は、容積式ポンプ38に信号を送って
チャンバ22
オ　「[0028]Upon completion of the oil change, 
the housing containing now used oil and the non-volatile memory may be removed from the engine
quick-disconnect couplings 30, 32
（当審訳）
「オイル交換が完了すると、
使用済みのオイル及び非揮発性メモリを含むハウジングは、エンジンから取り外される
クイックディスコネクトカップリング30、32
カ　「[0032]A component of the system for automated oil change is 
a non-volatile memory component 46
（当審訳）
「自動オイル交換のためにシステムの要素は、
非揮発性メモリコンポーネント46
キ　「[0033]
Typical data downloadable from the engine to the non-volatile memory of the oil change system includes the data described above uploaded to the engine controller from the non-volatile memory 46 concerning new oil in the housing, at the time oil housings are exchanged, the date and/or hours of operation of the automatic oil change if a batch change, any engine error codes, engine maintenance requirements, engine performance characteristics such as exhaust gas sensor observations, engine serial number, oil pH, the rate of oil consumption by the engine, fuel consumption, engine loading, and accumulated hours.
（当審訳）
「
エンジンからオイル交換装置の不揮発性メモリにダウンロード可能な典型的データは、不揮発性メモリ46からエンジンコントローラにアップロードされた、ハウジング内の新しいオイルに関する上述のデータ、ハウジングが交換される時期、バッチ交換の場合、自動オイル交換の作業の日付および／または時間、エラーコード、エンジン保守要件、排気ガスセンサ観測値のようなエンジンの性能特性を、機関の連続番号、pH、エンジンによって消費される油量、燃料消費量、エンジン負荷、累積時間、である。
　上記記載事項及び図面の図示内容からみて、引用文献１には、次の発明（以下「引用発明」という。）が記載されている。
〔引用発明〕
　「オイルを保持するための油室18及びチャンバ22と、
　前記油室18及びチャンバ22とエンジンのオイル潤滑システムとの間の流体連通を提供するのに適したクイックディスコネクトカップリング30,32と、
　不揮発性メモリ46であって、データを蓄積するためのメモリを有すると共に、また、エンジンコントローラからデータをダウンロードし、エンジンコントローラにデータをアップロードする不揮発性メモリ46とを備えるエンジンの為の取り外し可能なハウジング20。」
（２）引用文献２
　当審拒絶理由において引用され、本願の優先日前に日本国内又は外国において、頒布された又は電気通信回線を通じて公衆に利用可能となった特開平１１−２８６１２１号公報（以下「引用文献２」という。）には、図面とともに次の事項が記載されている。
ア　「【０００８】
【課題を解決するための手段】本発明は上述の技術課題を従来とは全く異なる観点から解決することを目的とするものであり、そのために、本発明のインクタンクは、
インクジェットプリントヘッドに供給するためのインクを貯蔵するとともに該インクジェットプリントヘッドに対し着脱可能なインクタンク
イ　「【００２４】
インク流路開閉器５のインク送給部６
【００２５】一方、
インクジェットプリントヘッド１２側にあるインク受給部１３
ウ　「【００３６】その後、電気配線のコネクタを用いて、インク流路開閉器制御部９を電気的に接合したのちに、インク流路開閉制御部９を筐体１にネジにて固定した。次に、
電気接点部分２２とインク流路開閉器制御部９とをコネクタで電気的に接合し、そののちに、電気接点部２２を筐体１に熱カシメにより固定した
エ　「【００４３】一方、インクジェットプリントヘッドの筐体１′もポリプロピレンの射出成形にて製作した。
この筐体１′には、加圧インクタンクの筐体１と位置合せして嵌合する目的で位置決めピン２３の嵌入穴２４が設けられており、図２に示すような状態で正しく嵌合できるようインクジェットプリントヘッド１２側の位置決めピン２３および嵌入穴２４が適切にその形状、寸法および配設位置が定められている
【００４４】インクジェットプリントヘッド１２には、図１および図２に示したように、電気接点部分２２′が配置されており、この接点を介し電気信号が伝達されてインクジェットプリントヘッドのインク吐出機構１９の部分からインクが吐出され紙などのプリント媒体にプリントが行われる。
電気接点２２′は、インクジェットプリントヘッド１２側のインク貯留部１７のインクの有無を検知する検出器１８の信号をも伝える接点を有しており、またプリンタ本体制御部からプリントヘッド１２を介して加圧インクタンク１側のインク流路開閉器制御部９に信号を送るように電気的配線も施されている
オ　「【００６７】一方
インクタンク１１において、４２１はＤＲＡＭ等のメモリであり、上述したような所要のデータを格納する
【００６８】
インクジェットプリントヘッド１２側にも同様のフォトダイオードセット４１１があり、これらにより両者間での信号の授受が行われる
カ　【００８２】ここで、本発明のインクジェットプリントヘッドについて更なる説明を行なう。本発明の特徴の一つは、インクタンクの信号の授受が全てインクジェットプリントヘッド１２を介して行われる点にある。そして、インクタンク１１側にその能動の制御権を与える方式とした。このことにより、インクタンクの弁の開閉動作の誤動作を防ぎ、プリンタ本体の設計の自由度を向上させることができる。
【００８３】
インクタンクとの信号の授受は、本例では機械的な電気接点方式とした。電気接点部分２２には、電力供給のための電極と共通アース極とを配置した。その他に、上述したメモリを有する場合には、メモリに格納されるインクジェットプリントヘッドの種類、製造ロット、製品番号、使用期限などを獲得する電極と、インクの圧力をアナログ信号で伝達する電極、インク貯留部１７のインク有無の信号を受理する電極接点などからなる電気接点２２を配置した。
【００８４】本例においては、
インクタンク１１がインクジェットプリントヘッド１２に装着され電気接点同士が電気的に接合されると、電力（電圧）が電力供給回路を介してインク流路開閉電気回路部９に伝達される。つぎに、この電圧を元に演算ロジック部は能動を開始し、インクジェットプリントヘッドに搭載されているメモリの内容を読む動作を行い、インクジェットプリントヘッドとの合致性を確認する
【００８５】（第４実施形態）本発明の第４実施形態では、上述の第３の実施形態において、電力の供給をインクジェットプリントヘッド１２よりインクタンク側へ行い、内部電池４３３や太陽電池４３１などの自己電力供給能力を持たない加圧インクタンク１１も試作した。この場合には１Ｋビットメモリの容量を持つＥＰＲＯＭをメモリ４２１として用いた。そしてこの場合は、
電気接点部２２の接合により、前記ＥＰＲＯＭのメモリ部４２１を含むインク流路開閉制御電気回路部９に電力が供給されると演算部がロジック演算を開始し、インクジェットプリントヘッド１２のフォトダイオードユニット４１１より送信される前述したような信号を加圧インクタンク側のフォトダイオードユニット４４１が受け、前述したような信号の授受を行うことで、インクの供給と受給とを行う構成とした。
　上記記載事項及び図面（特に、図１、２及び７を参照。）の図示内容からみて、引用文献２には、次の事項（以下「引用文献２記載事項」という。）が記載されている。
〔引用文献２記載事項〕
「インクタンク１１は着脱可能であり、インクタンク１１はメモリ４２１を有し、インクタンク１１をプリントヘッド１２に位置合わせして嵌合することにより、インクタンク１１とプリントヘッド１２との間のインクの連通が可能となり、インクタンク１１のメモリ４２１とプリントヘッド１２との間のデータの授受が可能となること。」
（３）引用文献３
　当審拒絶理由において引用され、本願の優先日前に日本国内又は外国において、頒布された又は電気通信回線を通じて公衆に利用可能となった特開２００５−１７８８９９号公報（以下「引用文献３」という。）には、図面とともに次の事項が記載されている。
　
ア　「【００１０】
　
容器アセンブリ１１０は、情報タグ２００（図２参照）などのその中に含まれる材料に関する情報を記憶するための情報記憶メカニズムを含んでいる。
このコネクタ１１８は、容器アセンブリ１１０を、以下にさらに説明するようなプロセスアセンブリ１０３および制御ユニット１０２に同時に結合するように構成されている。
【００１１】
　
容器アセンブリ１１０は、プロセスアセンブリ１０３に供給される材料を収容するように構成されている。
前記コネクタ１１８は材料ライン１２５によってプロセスアセンブリ１０３に結合されている
前記コネクタ１１８は制御ユニット１０２に結合されている
イ　「【００２４】
　図３を参照すると、７４０（図７参照）に示すように、容器アセンブリ１１０は図１のＳＲＳ１００に物理的に固定される。これは、コネクタ１１８をキャップ１１５に結合することにより達成される。プローブ２１５は容器本体１２０内へ下方に延び材料と接触する。図示のように、
コネクタ１１８は、従来の手段により流体（例えばフォトレジスト材料３００）を容器本体１２０からプローブ２１５を介して材料ライン１２５へと抜き取るあるいはポンプで汲み上げるように容器アセンブリ１１０に適切に固定される
【００２５】
　
コネクタ１１８は、同時に、情報タグ２００からの情報をアンテナアセンブリ２７５によって読み取れるように、キャップ１１５に固定される。コネクタ１１８は容器アセンブリ１１０からフォトレジスト材料３００を抜き取るのを容易にすると同時に、情報タグ２００からアンテナアセンブリ２７５への情報の伝達を確実にするように固定される。
ウ　「【００３１】
　図１〜４を引き続き参照すると、図８の８２０に示すように、更新済み情報を情報タグ２００に書き込むように、アンテナアセンブリ２７５を構成することができる。例えば、上記のように、情報タグ２００は高周波識別（ＲＦＩＤ）性能を含んでもよい。そのため容器アセンブリ１１０内の材料３００の量に関する情報を情報タグ２００に記憶することができる。一実施形態において、塗布中にある量の材料３００を容器アセンブリ１１０から抜き出す際に、容器アセンブリ１１０内のフォトレジスト材料３００の量に関する情報を更新することができる。この更新はアンテナアセンブリ２７５が、塗布中に抜き出されたフォトレジスト材料３００の量を示す、新しい情報を情報タグ２００に書き込むことにより達成される。よって、フォトレジスト材料３００の量に関する最新の情報が容器アセンブリ１１０とともに残る。こうして容器アセンブリ１１０内のフォトレジスト材料３００の量に関する情報を失うことなく
容器アセンブリ１１０をＳＲＳ１００から取り外すまたは他のシステムとともに使用することができる
　上記記載事項及び図面（特に、図１ないし３を参照。）の図示内容からみて、引用文献３には次の事項（以下「引用文献３記載事項」という。）が記載されている。
〔引用文献３記載事項〕
「容器アセンブリ１１０は取り外し可能であり、その中に含まれる材料に関する情報を記憶するための情報タグ２００を含んでおり、コネクタ１１８は、容器アセンブリ１１０を、プロセスアセンブリ１０３および制御ユニット１０２に同時に結合するように構成されており、前記コネクタ１１８により、容器アセンブリ１１０とプロセスアセンブリ１０３との間の流体連通が可能となり、容器アセンブリ１１０の情報タグ２００と制御ユニット１０２との間の情報の授受が可能となること。」
２　対比・判断
　本願発明と引用発明とを対比すると、引用発明における「オイル」は、その機能、構成及び技術的意義からみて本願発明における「流体」に相当し、以下同様に、「油室１８及びチャンバ２２」は「貯留槽」に、「オイル潤滑システム」は「流体循環システム」に、「クイックディスコネクトカップリング30,32」は「流体連結部」に、「不揮発性メモリ46」は「データ提供部」に、「エンジンコントローラ」は「エンジン制御装置」に、「取り外し可能な」は「置き換え可能な」に、それぞれ相当する。
　また、引用発明における「エンジンコントローラからデータをダウンロードし、エンジンコントローラにデータをアップロードする不揮発性メモリ46」に関して、「エンジンコントローラからデータをダウンロード」することは「エンジン制御装置からデータを受信」することであり、「エンジンコントローラにデータをアップロード」することは「エンジン制御装置にデータを提供する」ことであるから、引用発明における「エンジンコントローラからデータをダウンロードし、エンジンコントローラにデータをアップロードする不揮発性メモリ46」と本願発明における「エンジン制御装置からデータを受信するのに適し、かつ、そのメモリに蓄積している受信データとその受信データに応じて前記エンジン制御装置に提供しているデータとから選択された処置を実行するのに適したデータ提供部」とは、「エンジン制御装置からデータを受信するのに適し、前記エンジン制御装置にデータを提供するのに適したデータ提供部」という限りにおいて一致している。
　よって、両者の一致点及び相違点は、次のとおりである。
〔一致点〕
「流体を保持するための貯留槽と、
　前記貯留槽とエンジンの流体循環システムとの間の流体連通を提供するのに適した流体連結部と、
　データ提供部であって、データを蓄積するためのメモリを有すると共に、また、エンジン制御装置からデータを受信するのに適し、前記エンジン制御装置にデータを提供するのに適したデータ提供部とを備えるエンジンの為の置き換え可能な流体容器。」
〔相違点１〕
　「データ提供部」に関して、本願発明においては「貯留槽とエンジンのオイル潤滑流体循環システムとの間の流体連通を可能にするために置換可能な流体容器が一度設置されると、エンジンのエンジン制御装置とのデータ通信をするデータ提供部を有するように設計された」ものであるのに対して、引用発明においては、かかる事項を備えていない点。
〔相違点２〕
　「エンジン制御装置からデータを受信するのに適し、前記エンジン制御装置にデータを提供するのに適したデータ提供部」に関して、本願発明においては「エンジン制御装置からデータを受信するのに適し、かつ、そのメモリに蓄積している受信データとその受信データに応じて前記エンジン制御装置に提供しているデータとから選択された処置を実行するのに適した」ものであるのに対して、引用発明においては、エンジンコントローラからデータをダウンロードし、エンジンコントローラにデータをアップロードするものである点。
　上記相違点１について検討する。
　引用文献２記載事項は上記のとおり「インクタンク１１は着脱可能であり、インクタンク１１はメモリ４２１を有し、インクタンク１１をプリントヘッド１２に位置合わせして嵌合することにより、インクタンク１１とプリントヘッド１２との間のインクの連通が可能となり、インクタンク１１のメモリ４２１とプリントヘッド１２との間のデータの授受が可能となること。」というものであり、引用文献３記載事項は上記のとおり「容器アセンブリ１１０は取り外し可能であり、その中に含まれる材料に関する情報を記憶するための情報タグ２００を含んでおり、コネクタ１１８は、容器アセンブリ１１０を、プロセスアセンブリ１０３および制御ユニット１０２に同時に結合するように構成されており、前記コネクタ１１８により、容器アセンブリ１１０とプロセスアセンブリ１０３との間の流体連通が可能となり、容器アセンブリ１１０の情報タグ２００と制御ユニット１０２との間の情報の授受が可能となること。」というものである。
　これらの記載事項から、流体容器（上記インクタンク１１及び容器アセンブリ１１０）と当該流体容器内の流体を使用する装置（上記プリントヘッド１２及びプロセスアセンブリ１０３）との間の流体連通を可能にするために置換可能な流体容器が一度設置されると、当該流体容器内の流体を使用する装置とのデータ通信をするデータ提供部（上記メモリ４２１及び情報タグ２００）を有するように設計されたデータ提供部を備えた流体容器は、本願の優先日前に周知の技術（以下「周知技術」という。）であったといえる。
　引用発明は、エンジンとハウジング20とが流体連通し、エンジンコントローラとハウジング20の不揮発性メモリ46がデータの授受を行うものであるから、引用発明において周知技術を参酌し、上記相違点１に係る本願発明の発明特定事項とすることは、当業者が容易になし得たことである。
　上記相違点２について検討する。
　上記相違点２に係る本願発明の発明特定事項である「エンジン制御装置からデータを受信するのに適し、かつ、そのメモリに蓄積している受信データとその受信データに応じて前記エンジン制御装置に提供しているデータとから選択された処置を実行するのに適した」は、下記の「第５　特許法第３６条第６項第２号（明確性）についての判断」に示すように、その意味が明確でない。
　しかしながら、上記相違点２に係る本願発明の発明特定事項は、（データ提供部が）「エンジン制御装置からデータを受信するのに適し」ており、かつ、「エンジン制御装置」に「データを提供」するのに適している、との意味に解することができる。そして、そのように解した場合、引用発明の「エンジンコントローラからデータをダウンロードし、エンジンコントローラにデータをアップロードする」は、上記相違点２に係る本願発明の発明特定事項に相当するものということができる。
　当審拒絶理由では、「●理由１（進歩性）について」において、当該相違点に関して、上記のような解釈と判断を示したが、請求人からは、具体的な反論はなかった。また、「●理由３（明確性）について」において、当該相違点に係る本願発明の発明特定事項に係る記載が明確でない旨を指摘したが、下記の「第５　特許法第３６条第６項第２号（明確性）についての判断」で述べるように、当該記載を明確化する補正はされず、説明や釈明もなかった。
　請求人は審判請求書３．（３）において、引用文献１における不揮発性メモリ４６に関して次のように主張している。
　「しかしながら、ここには、エンジン制御装置は、データ提供部にデータを送ることができ、また、このデータ提供部は、メモリにそのデータを蓄積するか、受け取ったデータに応じてエンジン制御装置と通信するといった着想がありません。
　第１引用文献において、エンジンはメモリにデータを直接ダウンロードしており、エンジンからのデータを調べることができ、データをメモリに蓄積するか、戻すかを決定できるデータ提供部は開示されておりません。
　言い換えれば、不揮発性メモリ４６は、単に受動的な装置に過ぎないのに対し、本願の請求項１に係る発明におけるデータ提供部は、能動的な装置であります。」
　上記主張について検討すると、上記主張における「受け取ったデータに応じてエンジン制御装置と通信する」とは、「受け取ったデータ」に具体的にどのように「応じて」「エンジン制御装置と通信する」のか、発明の詳細な説明を参酌しても明確でない。しかしながら、互いに関連した事項について通信を行うこと、データに応じた事項について通信を行うことは、通常行われていることであるし、関連したデータの授受を行うことは、引用文献１の段落[0033]（上記１　（１）キを参照。）にも示唆されている。
　そして、引用文献１に記載の不揮発性メモリ46が、単に受動的な装置ではなく、能動的な装置であることは、一般に「アップロード」や「ダウンロード」という用語は、コンピュータとメモリとの間のデータの授受ではなく、コンピュータ同士のデータの授受に用いられることから理解できる。また、引用文献１の段落[0007]の記載事項（上記１　（１）アを参照。）は、不揮発性メモリ要素が、単に受動的な装置ではなく、能動的な装置であることを示している。
　以上を踏まえると、上記相違点２は実質的な相違点ではないか、少なくとも、上記相違点２に係る本願発明の発明特定事項は、引用発明に基いて当業者が容易に想到できたものである。
　そして、本願発明は、全体としてみても、引用発明及び周知技術から予測し得ない格別な効果を奏するものではない。
　したがって、本願発明は、引用発明及び周知技術に基いて、当業者が容易に発明をすることができたものであるから、特許法第２９条第２項の規定により特許を受けることができない。
第５　特許法第３６条第６項第２号（明確性）についての判断
　当審拒絶理由において、特許請求の範囲の記載不備について、次のように指摘した。
　「請求項１の『前記エンジン制御装置からデータを受信するのに適し、かつ、そのメモリに蓄積している受信データとその受信データに応じて前記エンジン制御装置に提供しているデータとから成るリストから選択された処置を実行するのに適したデータ提供部』との記載は意味が不明である。
　当該記載によれば、リストの内容は『そのメモリに蓄積している受信データ」と「その受信データに応じて前記エンジン制御装置に提供しているデータ」である、すなわち、リストの内容は『データ』であって『処置』ではないから、『リストから選択された処置を実行する』とは、どのような処置を実行するのか不明である。
　また、『その受信データに応じて前記エンジン制御装置に提供しているデータ』とは、どのようなデータを指すのか不明確である。」
　これに対して、請求人は、請求項１の当該記載を
「前記エンジン制御装置からデータを受信するのに適し、かつ、そのメモリに蓄積している受信データとその受信データに応じて前記エンジン制御装置に提供しているデータとか
ら選
と補正した。
　当該補正により「成るリストから」との記載は削除されたものの、「処置」は「データ」から選択されるという記載内容は変わらないものであり、例えば、発明の詳細な説明の段落【００４０】、【００４１】、【００４４】及び【００５３】ないし【００６６】等に示された「データ」の例を見ても、「データ」は「処置」とはいえないものであるから、請求項１の当該記載は依然として不明確である。
　また、「その受信データに応じて前記エンジン制御装置に提供しているデータ」との記載は依然として存在し、その意味についての説明や釈明もない。
　そうすると、請求項１の「前記エンジン制御装置からデータを受信するのに適し、かつ、そのメモリに蓄積している受信データとその受信データに応じて前記エンジン制御装置に提供しているデータとから成るリストから選択された処置を実行するのに適したデータ提供部」との記載は、依然として意味が不明であるから、請求項１に係る発明は依然として明確でない。
　よって、本願は、特許請求の範囲の記載が、特許法第３６条第６項第２号に規定する要件を満たしていない。
第６　むすび
　以上のとおり、本願発明は、引用発明及び周知技術に基いて、当業者が容易に発明をすることができたものであるから、特許法第２９条第２項の規定により特許を受けることができない。
　また、本願は、特許請求の範囲の記載が、特許法第３６条第６項第２号に規定する要件を満たしていない。
　よって、結論のとおり審決する。